(57)【特許請求の範囲】
【請求項１】
金属切板の曲げ加工により着座部，化粧瓦棒固定部，押え部が一体成形された取付け金具であり、着座部の軒側先端には棟側金属屋根板と軒側金属屋根板との隙間に挿し込まれる差込み片が形成され、化粧瓦棒固定部は着座面の軒側端部から立ち上がった起立部の両側を折り曲げることにより形成した棟方向に延びる支持面をもち、押え部の棟側端部は着座面に接近する方向に折り曲げられて押え辺となっており、着座面から押え部を貫通する押圧ボルトにナットを締め付けたとき、押え部の押え辺が棟側金属屋根板の軒側端部近傍に押し当てられ、着座部の差込み片と押え部の押え辺との間で棟側金属屋根板の軒側端部近傍が挟み付けられることを特徴とする化粧瓦棒取付け金具。
【請求項２】
化粧瓦棒固定部の支持面は、横葺き屋根の棟側金属屋根板の軒側端部近傍に取り付けた状態で、軒側金属屋根板の棟側表面に下縁が接触する幅をもつ請求項１記載の化粧瓦棒取付け金具。
【請求項３】
着座部から立ち上がる起立部の左右両側近傍の下部に通水開口が形成されている請求項１記載の化粧瓦棒取付け金具。
【請求項４】
横葺き金属屋根の棟側金属屋根板と軒側金属屋根板との隙間に挿し込まれる差込み片が軒側先端に形成された着座部と、着座部の軒側端部から立ち上がった起立部の両側を折り曲げることにより形成され、棟方向に延びる支持面をもつ化粧瓦棒固定部と、棟側端部が着座部に接近する方向に折り曲げられて押え辺となった押え部とが一体成形された化粧瓦棒取付け金具と、金属切板の曲げ加工によって所定断面形状に成形され、金属屋根板単体の軒−棟方向働き長さに等しい長さをもつ複数の内曲げ部が両側面から内方に突出し、隣り合う内曲げ部の間に金属屋根板の段差に等しい段部が形成されている化粧瓦棒とを備え、軒側金属屋根板の棟側端部近傍に取り付けた化粧瓦棒取付け金具の押圧ボルトにナットを締め付けることにより、着座部の差込み片と押え部の押え辺との間で軒側金属屋根板の棟側端部近傍挟み付けられ、化粧瓦棒固定部の支持面の下縁と軒側金属屋根板の棟側表面との間に化粧瓦棒の内曲げ部が挿し込まれていることを特徴とする化粧瓦棒取付け構造。
【請求項５】
両側縁を内側に屈曲させて当接部を形成した補強下地が化粧瓦棒に内挿されており、補強下地の当接部が化粧瓦棒取付け金具の起立部上縁に押し当てられている請求項４記載の化粧瓦棒取付け構造。
【発明の詳細な説明】
【０００１】
【産業上の利用分野】
本発明は、横葺金属屋根や壁面に化粧瓦棒を取り付けて建築物にアクセントをもたせる化粧瓦棒及び化粧瓦棒取付け金具，取付け構造に関する。
【０００２】
【従来の技術】
比較的軽量で強度も良好な金属屋根は、屋根下地の躯体に加わる負荷が小さく、釘やビスを使用して簡単に結合できるため、一般家屋，公共施設等の各種建築物で使用されている。金属屋根を用いる屋根葺では、所定のサイズに成形された単位屋根板を使用することから横葺き工法が多用されている。
横葺き工法では、軒側の金属屋根板１を野地板２に釘，ビス，ボルト等で固定した後、軒側金属屋根板１の棟側にある係止突起１ａに棟側金属屋根板１の係合凹部１ｂを噛み合わせて軒側金属屋根板１に連結した棟側金属屋根板１を野地板２に固着する（図１）。以下、同様な作業を繰り返し、軒先から棟側に向けて金属屋根板１を敷設する。金属壁面も同様な工法で成形金属板が横葺きされる。
【０００３】
横葺きしたままの金属屋根板１や金属壁面は、屋根一面にフラットな状態で敷き詰められているため、看者に与える印象が弱い。平坦な印象を解消するため、軒先から棟方向に延びる化粧瓦棒３を横葺き屋根に取り付け、或いは化粧瓦棒を鉛直方向に金属壁面に取り付け、屋根や壁面にアクセントを付けることが検討されている。本発明者等も、化粧瓦棒を取り付けた横葺き屋根を開発しており、一部を特開平９−１９５４５０号公報，特開平９−３２４５０６号公報で紹介した。
【０００４】
横葺き金属屋根に化粧瓦棒３を取り付ける際、化粧瓦棒３を金属屋根板に固着する取付け金具が使用される。この取付け金具４は、軒側金属屋根板１と棟側金属屋根板１との連結部に挿し込まれる舌片４ａが先端に形成された差込片４ｂを備えている（図２）。舌片４ａの反対側で差込片４ｂから立ち上がった立上り部４ｃは折り返された後、棟側に曲げられた押え片４ｄになる。差込片４ｂにボルト４ｅが固着され、押え片４ｄに形成されたボルト孔を貫通して突出するボルト４ｅの先端にナット４ｆがねじ込まれる。ナット４ｆを締め付けると、押え片４ｄは弾性変形して舌片４ａに接近する。立上り部４ｃには、支持板４ｇがリベット４ｈで固着されている。支持板４ｇは両側が棟方向に曲げ加工された側板４ｉになっており、化粧瓦棒３取付け用のボルトが挿通される長孔４ｊが側板４ｉに形成されている。
【０００５】
取付け金具４は、軒側金属屋根板１と棟側金属屋根板１との連結部の隙間に舌片４ａが挿し込まれた後、ボルト４ｅにナット４ｆをねじ込み押え片４ｄを下方に弾性変形させ、棟側金属屋根板１の軒側端部を舌片４ａと押え片４ｄとの間に挟み込むことにより固着される。次いで、取付け金具４に覆い被さるように化粧瓦棒３をあてがい、化粧瓦棒３に形成されているリベット孔（図示せず）に長孔４ｊを位置合せし、取付け金具４の側板４ｉに化粧瓦棒３をリベット止めする。
【０００６】
【発明が解決しようとする課題】
この取付け金具４では、金属屋根板１の軒側端部を挟み込む舌片４ａ及び押え片４ｄと化粧瓦棒３を固定する側板４ｉとがボルト４ｅの反対側に位置している。この位置関係では、舌片４ａ，押え片４ｄから長孔４ｊまでの距離が長く、側板４ｉに固定された化粧瓦棒３が風圧等の影響を受けると舌片４ａ，押え片４ｄを中心として立上り部４ｃ側が浮き上がり易い。立上り部４ｃの浮上りによって金属屋根板１と化粧瓦棒３との間の隙間が大きくなると、見栄えが悪くなることは勿論、中空状になっている化粧瓦棒３の内部に吹き込まれた空気によって化粧瓦棒３が金属屋根板１から外れる虞れがある。
【０００７】
そこで、本発明者は、側板４ｉに形成される長孔４ｊをボルト４ｅよりも舌片４ａ，押え片４ｄ側に位置させた取付け金具を提案した（特開２０００−３１００１２号公報）。この取付け金具４は、Ｌ型着座片に挟持片を固着し、ボルトで押え金具をＬ型着座片に連結した構造になっている。ボルトにナットを締め付けることにより、押え金具が棟側金属屋根板の軒側端部に押し当てられ、棟側金属屋根板の軒側端部をＬ型着座片と押え金具との間で挟持することにより、取付け金具４が所定位置に取り付けられる。提案した取付け金具４を使用すると、化粧瓦棒３の固着個所を棟側金属屋根板１の軒側端部に近い位置に設定でき、化粧瓦棒３の固着部に加わるモーメントが小さく、風圧による取付け金具４及び化粧瓦棒３の浮上りが防止される。しかし、取付け金具４の部品点数としてＬ型着座片，狭持片，押え金具，連結ボルトを必要とすることから、取付け金具４の作製に手数がかかる。また、何らかの原因によって押え金具がＬ型着座片から外れることもあり、このような場合には建材，工具類が乱雑に散らかっている作業現場で取付け金具４を組み立て直すことが必要となる。
【０００８】
【課題を解決するための手段】
本発明は、このような問題を解消すべく案出されたものであり、着座片，狭持片，押え金具を一体化することにより、作製を容易にすると共に、作業現場での取扱い性も改善した化粧瓦棒取付け金具及び化粧瓦棒取付け構造、更には化粧瓦棒を提供することを目的とする。
【０００９】
本発明の化粧瓦棒取付け金具は、その目的を達成するため、金属切板の曲げ加工により着座部，化粧瓦棒固定部，押え部が一体成形された取付け金具であり、着座部の軒側先端には棟側金属屋根板と軒側金属屋根板との隙間に挿し込まれる差込み片が形成され、化粧瓦棒固定部は着座面の軒側端部から立ち上がった起立部の両側を折り曲げることにより形成した棟方向に延びる支持面をもち、押え部の棟側端部は着座面に接近する方向に折り曲げられて押え辺となっており、着座面から押え部を貫通する押圧ボルトにナットを締め付けたとき、押え部の押え辺が棟側金属屋根板の軒側端部近傍に押し当てられ、着座部の差込み片と押え部の押え辺との間で棟側金属屋根板の軒側端部近傍が挟み付けられることを特徴とする。
【００１０】
化粧瓦棒固定部の支持面は、横葺き屋根の棟側金属屋根板の軒側端部近傍に取り付けた状態で、軒側金属屋根板の棟側表面に下縁が接触する幅をもつことが好ましい。着座部から立ち上がる起立部の左右両側近傍の下部に通水開口を形成すると、腐食の原因となる雨水が取付け金具周辺に滞留することがなくなる。
この化粧瓦棒取付け金具を用いて装着される化粧瓦棒は、金属切板の曲げ加工によって成形された所定断面形状をもち、金属屋根板の軒−棟方向働き長さに等しい長さをもつ複数の内曲げ部が両側面から内方に突出し、隣り合う内曲げ部の間に金属屋根板の段差に等しい段部が形成されており、内曲げ部は段部側にある幅狭の載置片と軒方向に幅広がりになった差込み片で構成されている。補強下地を内挿した化粧瓦棒も使用される。
【００１１】
【実施の形態】
本発明に従った化粧瓦棒取付け金具Ａは、一枚の金属板を板金加工によって成形し、着座部１０，化粧瓦棒固定部２０及び押え部３０を一体化した構造をもっている（図３，４）。以下の説明では、横葺きした金属屋根に対する化粧瓦棒の取付けを例に本発明を具体的に説明するが、金属成形板を横葺きして構築された壁面に対しても同様な方法で化粧瓦棒が取り付けられることは勿論である。
【００１２】
着座部１０は、金属屋根板１の表面に接する着座面１１の先端（図４ｃでは右側）が若干上方に傾斜した差込み片１２になっている。着座面１１の中央には、押圧ボルト４０が挿し込まれるボルト孔が設けられており、ボルト孔の周辺は押圧ボルト４０の頭部を収容するため若干盛り上がった隆起部１３になっている。隆起部１３は、着座面１１を補強すると共に、押圧ボルト４０にナット４１をねじ込んだとき弾撥力を発生させる部分でもある。
押圧ボルト４０は、着座部１０と別体にする必要はなく、溶接等で着座部１０に固着して起立させることもできる。着座面１１には、隆起部１３の両側にビード１４，１４が形成されている。ビード１４も、着座面１１を補強すると共に、着座面１１の弾撥力を高める。
【００１３】
差込み片１２と反対側の端部から起立部１５が立ち上げられ、起立部１５の両側が更に折り曲げられて左右の化粧瓦棒固定部２０となり、先端が更に折り曲げられて押え部３０が形成される。起立部１５には、着座面１１から連続する補強用のビード１４，１４が形成され、両側の下部が切り欠かれて通水開口１６，１６になっている。起立部１５と押え部３０との角部には、正確な稜線に沿った折曲げ加工によって押え部３０が形成されるように、切欠き１７，１７が穿設されている。
【００１４】
化粧瓦棒固定部２０は、左右両側で棟方向に延びた支持面２１を備えている。左右の支持面２１は、半円筒形の化粧瓦棒５０（図７）を取り付ける場合には互いに平行に成形されているが、将棋駒形状の化粧瓦棒５０（図８）を取り付ける場合には若干上窄まりになる形状に成形されている。
支持面２１は、通水開口１６より下方に突出している。支持面２１の下縁は、化粧瓦棒５０を装着した状態では化粧瓦棒５０の内曲げ部５１（図５）を介して金属屋根板１に接触する押圧辺２２となる。
支持面２１には、棟方向に長い長孔２３が形成されている。長孔２３は、可能な限り支持面２１の棟側縁部近傍に形成することが好ましく、側面視で押圧ボルト４０と差込み片１２との間で押え辺３３に近づけて位置させる（図４ｃ）。この位置関係により、ワッシャ４２を介してナット４１を押圧ボルト４０にねじ込んで押え部３０を金属屋根板１に押圧したとき、長孔２３形成部分に加わる回転モーメントが大幅に軽減される。
【００１５】
押え部３０の中央部には、押圧ボルト４０挿通用のボルト孔が形成されている。ボルト孔の周辺は、押圧ボルト４０の先端方向に盛り上げられ、隆起部３１，３２が二段に形成されている。隆起部３１，３２は，押え部３０を補強すると共に、押圧ボルト４０にナット４１をねじ込んだとき弾撥力を発生する個所として作用する。
起立部１５の反対側で、押え部３０の棟側縁部が折り下げられて押え辺３３が形成されている。押え部３０は、着座面１１と押え部３０との間の角度が棟側に開くように、若干鋭角で起立部１５から折り曲げられることが好ましい。これにより、押圧ボルト４０にワッシャを介してナット４１をねじ込んだときナット４１のねじ込み力が押え部３０の弾性変形に効率よく利用される。押え部３０と着座面１１との間の角度は、押え辺３３の下端が金属屋根板１の表面に直接又は間接に接触する限り、特に制約されるものではない。
【００１６】
押え部３０から押え辺３３が曲がる位置で、押え部３０の幅方向中心部に位置合せ用のマークを刻印すると、化粧瓦棒取付け金具Ａを正確且つ容易に取り付けることが可能になる。マークを基準にして化粧瓦棒取付け金具が位置決めされるため、左揃え，右揃え等の誤作業がなく、化粧瓦棒取付け金具Ａを軒−棟方向に沿って直線配列できる。
押え辺３３には、キャップ３４を装着することが好ましい。キャップ３４を図３に示すように屋根左右方向にみてほぼＬ型断面にし、押え辺３３から押え部３０の平坦部までキャップ３４を覆い被せるとき、装着されたキャップ３４が容易に離脱しなくなる。キャップ３４を透明軟質樹脂製にすると、押え辺３３及び押え部３０の先端部がキャップ３４で覆われた状態でもキャップ３４を透かして位置決め用のマークを観察できる。或いは、キャップ３４の幅方向中央部にマークを刻印し、キャップ３４のマークを位置決めの指標とすることもできる。
【００１７】
取付け金具Ａで横葺き屋根に取り付けられる化粧瓦棒５０は、図５に示すように金属屋根板１の棟方向実効長さｗに一致する内曲げ部５１を備えている。軒側内曲げ部５１と棟側内曲げ部５１との間の段差ｈは、横葺きした軒側金属屋根板１と棟側金属屋根板１との間の段差ｈに等しく設定されている。図５では半円筒状の外観をもつ化粧瓦棒５０を図示しているが、ユーザーニーズに対応し矩形，将棋駒等、種々の形状に化粧瓦棒５０を成形できることは勿論である。
【００１８】
段部５４より若干軒側の位置で、化粧瓦棒５０の長手方向に沿って複数のリベット挿通孔５２が半円筒状基部５３に穿設されている。リベット挿通孔５２は、化粧瓦棒５０の軒側端部及び棟側端部に形成され、更に中間の半円筒状基部５３にも形成される。棟方向に隣り合うリベット挿通孔５２，５２間の距離Ｌは、金属屋根板１の棟方向実効長さｗの整数倍（具体的には、１〜４倍）に設定される。
【００１９】
内曲げ部５１は、差込み片５１ａ，載置片５１ｂからなっている。差込み片５１ａは、軒方向（図５では左方向）に向けて幅広になっており、化粧瓦棒取付け金具Ａに嵌め合わせた化粧瓦棒５０を棟方向に若干スライドさせるとき、取付け金具Ａとの噛合いを強固にする。しかし、内曲げ部５１の全長にわたって差込み片５１ａを幅広に成形すると、段部５４側で差込み片５１ａの幅が広くなりすぎ、化粧瓦棒５０の装着に支障をきたす。そこで、段部５４近傍の内曲げ部５１をスリットすることにより、幅の狭い載置片５１ｂを形成する。この点、内曲げ部５１の全長をスリットする方式に比較して、スリット部分が小さくなるため、大型のスリット工具を使用する必要がなくなる。
【００２０】
段部５４近傍の内曲げ部５１をスリットすることに代え、当該部分を二重折することにより幅の狭い載置片５１ｂを形成することも可能である。二重折で形成した幅の狭い載置片５１ｂは、鋭いエッジ部がないため作業者にとっても安全である。
【００２１】
幅の狭い載置片５１ｂは、化粧瓦棒５０を装着する際の手掛りにもなる。また、半円筒状基部５３から内側に突出する長さが短いので、異物との接触によって変形する度合いも少なくなる。載置片５１ｂが形成されている部分は、化粧瓦棒５０を金属屋根板１に装着したとき、棟側金属屋根板１の軒側端部近傍に当接する個所であり、載置片５１ｂの変形が少ないことは良好な接触状態で化粧瓦棒５０を装着できることを意味する。
【００２２】
化粧瓦棒５０は、所定形状に成形した金属切板を単体として使用することもできるが、耐食性に優れたステンレス鋼等を補強下地５５（図７，８）として併用することも可能である。補強下地５５は、半円筒（図７），将棋駒（図８）等、化粧瓦棒５０の形状に対応した断面形状に成形されている。また、補強下地５５の縁部を若干内側に折り曲げ、取付け金具Ａの起立部１５上縁に押し付けられる当接部５５ａとすることもできる。当接部５５ａが起立部１５上縁に押し付けられると、化粧瓦棒５０を内側から支持する補強下地５５の弾撥力が大きくなり、化粧瓦棒５０の形状安定性が向上する。
【００２３】
次いで、取付け金具Ａを用いて横葺き屋根に化粧瓦棒５０を取り付ける作業を説明する。
金属屋根板１は従来工法に従って軒先から棟に向けて多段に葺き上げられる。軒側金属屋根板１と棟側金属屋根板１との間に段差ｈ（図６）が生じる。棟から軒先にかけて罫書き線を直線状に引き、罫書き線に取付け金具Ａのマークを一致させ、軒側金属屋根板１と棟側金属屋根板１との間の隙間に差込み片１２を挿し込む。
【００２４】
係止突起１ａに突き当たるまで差込み片１２を挿し込むと、棟側金属屋根板１の軒側端面から長孔２３までの距離が一定になる。棟方向に沿って複数の取付け金具Ａが挿し込まれるが、軒−棟方向に隣り合う取付け金具Ａの間隔は、化粧瓦棒５０に形成されているリベット挿通孔５２，５２間の距離Ｌに一致させる。
差込み片１２は、着座面１１から若干上向きに傾斜しているので、棟側金属屋根板１の係止突起１ａに下方から押し当てられる。着座面１１は、軒側金属屋根板１の表面に着座する。挿し込まれた複数の取付け金具Ａは、罫書き線にマークを一致させているので、棟から軒先にかけて罫書き線に沿った直線配列になる。
【００２５】
個々の取付け金具Ａについて、押圧ボルト４０にナット４１を締め付け押え部３０を押し下げると、押え辺３３が金属屋根板１の軒側端部に押し付けられる。その結果、金属屋根板１の軒側端部が差込み片１２と押え辺３３との間で締付け力，弾性力で挟持され、取付け金具Ａが棟側金属屋根板１の軒側端部に固定される。このとき、押え辺３３にキャップ３４を装着しておくと、押え辺３３の押圧によって金属屋根板１の表面が疵付くことはない。
【００２６】
所定間隔で複数の取付け金具Ａを金属屋根板１に取り付けた後、取付け金具Ａに化粧瓦棒５０を覆い被せる。棟側化粧瓦棒５０の軒側端部は、それぞれのリベット挿通孔５２を位置合せして軒側化粧瓦棒５０の棟側端部に覆い被せられる。化粧瓦棒５０の装着に際しては、取付け金具Ａに当る位置にある左右の内曲げ部５１を押し広げる。このとき、幅の狭い載置片５１ｂが手掛りとして働くため作業が容易となり、また化粧瓦棒５０を上方から見る状態でも化粧瓦棒５０の押広げ位置を容易に識別できる。
【００２７】
内曲げ部５１が支持面２１を乗り越えた時点で拡開力を解放する。このとき、金属屋根板１の表面が若干弾性変形して支持面２１との間に隙間が生じており、その隙間に化粧瓦棒５０の弾性復元力によって内曲げ部５１が挿し込まれる。内曲げ部５１を差し込んだ後、化粧瓦棒５０を棟側に若干スライドさせると、化粧瓦棒５０の段差が金属屋根板１の段差部に当接する。また、化粧瓦棒５０のスライドに伴って、軒側に幅広となっている差込み片５１ａが支持面２１の押圧辺２２と金属屋根板１との隙間に入り込み、取付け金具Ａが一層強固に固着される。
【００２８】
棟側金属屋根板１の軒側端部に固定した取付け金具Ａの支持面２１と軒側金属屋根板１との隙間に化粧瓦棒５０の内曲げ部５１を挿し込むと、支持面２１が幅広になっているので押圧辺２２が化粧瓦棒５０の内曲げ部５１を介して軒側金属屋根板１の棟側上部近傍に押し当てられる。したがって、棟側金属屋根板１に化粧瓦棒５０が密着すると共に、反力によって取付け金具Ａ自体の取付け状態も強固になる。また、取付け金具Ａを介して化粧瓦棒５０が強固に取り付けられるため、隣接するリベット挿通孔５２の距離Ｌを大きく設定でき、化粧瓦棒５０の固定に必要なリベット打ち等の作業工数を軽減することが可能となる。
【００２９】
しかも、押圧辺２２，内曲げ部５１，軒側金属屋根板１の棟側上部近傍が蜜に接触しているため、屋根傾斜面に沿って流下した雨水の横走りが防止され、取付け金具Ａの内部に雨水が流入することもない。仮に流入した場合でも、平面部２３と軒側金属屋根板１との間にある通水開口１６を介して取付け金具Ａから雨水が流出する。したがって、取付け金具Ａの内部に滞留する水分がなく、腐食に強い取付け構造となる。
棟側金属屋根板１の軒側端面から長孔２３までの距離が一定で、段差ｈのある部分からリベット挿通孔５２までの距離も固定されている。また、棟方向に隣り合う取付け金具Ａ，Ａ間の距離を隣り合うリベット挿通孔５２，５２間の距離Ｌに一致させているので、一つのリベット挿通孔５２を化粧瓦棒固定片２０の長孔２３に合せると、残りのリベット挿通孔５２も他の長孔２３に臨む。
【００３０】
そこで、化粧瓦棒固定片２０の長孔２３及び化粧瓦棒５０のリベット挿通孔５２にリベット（図示せず）を挿し通し、化粧瓦棒固定片２０に化粧瓦棒５０の半円筒状基部５３をリベット止めする。軒側化粧瓦棒５０と棟側化粧瓦棒５０との接続部では、軒側化粧瓦棒５０の棟側端部にあるリベット挿通孔５２及び棟側化粧瓦棒５０の軒側端部にあるリベット挿通孔５２にリベットを挿し通し、軒側化粧瓦棒５０及び棟側化粧瓦棒５０が重なり合った状態で取付け金具Ａにリベット止めされる。化粧瓦棒５０が強固に取り付けられることから、全てのリベット挿通孔５２を使用する必要はなく、適宜選択したリベット挿通孔５２にリベットを挿し通して化粧瓦棒５０を固定してもよい。また、リベット止めに替えてビス止め，ボルト締めによって、半円筒状基部５３を取付け金具Ａの化粧瓦棒固定片２０に固定することも可能である。
【００３１】
補強下地５５を内挿した化粧瓦棒５０では、補強下地５５の当接部５５ａを取付け金具Ａの起立部１５に押し当てた状態（図７，８）で化粧瓦棒５０が金属屋根板１に装着される。その結果、補強下地５５によるバックアップが強固になり、化粧瓦棒５０の形状崩れが防止される。
取付け金具Ａを介して横葺き屋根に取り付けられた化粧瓦棒５０は、軒側金属屋根板１と棟側金属屋根板１との間にある段差ｈに対応する段差ｈを付けた半円筒状基部５３をもっている。そのため、金属屋根板１の段差ｈが化粧瓦棒５０の段差ｈで吸収され、金属屋根板１と化粧瓦棒５０との間に隙間が生じない。
【００３２】
また、内曲げ部５１が金属屋根板１の表面に面接触するため化粧瓦棒５０が安定配置され、平面部２３のコーナーが複数箇所で化粧瓦棒５０の内面に接触するため横葺き屋根に取り付けられた化粧瓦棒５０の形状安定性も向上する。なかでも、幅が狭く変形しがたい載置片５１ｂが棟側金属屋根板１の軒側端部近傍に位置するため、化粧瓦棒５０の載置安定性も向上し、金属屋根板１に対する内曲げ部５１の接触状態も改善される。更に、化粧瓦棒固定片２０の長孔２３を棟側金属屋根板１の軒側端面に接近させているので、化粧瓦棒５０をリベット止めした個所に加えられるモーメントが小さくなり、取付け金具Ａの浮き上がりが防止される。
このように、取付け金具Ａを金属屋根板１の軒側端部に挿し込み、取付け金具Ａに化粧瓦棒５０をリベット止めするだけの簡単な作業によって、金属屋根板１を多段に葺き上げた横葺き屋根に化粧瓦棒５０が強固に取り付けられ、風圧や腐食に強い取付け構造となる。
【００３３】
【発明の効果】
以上に説明したように、本発明の化粧瓦棒取付け金具は、横葺き屋根の軒側金属屋根板に載置される着座部，化粧瓦棒の内曲げ部が挿し込まれる化粧瓦棒固定部，棟側金属屋根板の軒側端部に押し付けられ、着座部の差込み片との間で棟側金属屋根板の軒側端部を挟みつける押え部を一体成形している。そのため、取付け金具の製造工程が簡略化されるばかりでなく、化粧瓦棒を取り付ける際の作業性も向上する。しかも、化粧瓦棒が強固に取り付けられ、化粧瓦棒の形状崩れも防止されるため、腐食や風圧に対する抵抗が高く、見栄えのよい施工仕上りとなる。
【図面の簡単な説明】
【図１】  化粧瓦棒を装着した横葺き金属屋根の斜視図
【図２】  従来の化粧瓦棒取付け金具の斜視図（ａ）及び側面図（ｂ）
【図３】  本発明に従った化粧瓦棒取付け金具の斜視図
【図４】  同化粧瓦棒取付け金具の平面図（ａ），正面図（ｂ）及び側面図（ｃ）
【図５】  化粧瓦棒を上方から見た斜視図（ａ），反転斜視図（ｂ）及び平面図（ｃ）
【図６】  化粧瓦棒を取り付けた取付け金具周辺の断面図
【図７】  金属屋根に取り付けられた半円筒形化粧瓦棒を軒方向から見た断面図
【図８】  金属屋根に取り付けられた将棋駒形状の化粧瓦棒を軒方向から見た断面図
【符号の説明】
１：金属屋根板  Ａ：化粧瓦棒取付け金具  ｈ：段差  ｗ：棟方向実行長さ
１０：着座部  １１：着座面  １２：差込み片  １５：起立部  １６：通水開口２０：化粧瓦棒固定部  ２１：支持面  ２２：押圧辺
３０：押え部  ３３：押え辺  ３４：キャップ
４０：押圧ボルト  ４１：ナット
５０：化粧瓦棒  ５１：内曲げ部  ５１ａ：差込み片  ５１ｂ：載置片  ５３：半円筒状基部  ５４：段部  ５５：補強下地
【図１】
0004782305.tif 000002
【図２】
0004782305.tif 000003
【図３】
0004782305.tif 000004
【図４】
0004782305.tif 000005
【図５】
0004782305.tif 000006
【図６】
0004782305.tif 000007
【図７】
0004782305.tif 000008
【図８】
0004782305.tif 000009